【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
ヨーク部分で周方向に１ティース単位に分割して構成した分割鉄心より成る電動機の固定子において、前記分割鉄心はインシュレータを介して、巻線が巻回されており、前記巻線の巻き終り部分を固定する際に、前記インシュレータに設けられた切欠き部に紐を通して固定することを特徴とする電動機の固定子。
【請求項２】
前記切欠き部は、前記電動機の軸方向より見た前記分割鉄心の前後端面に隣接した部分に設けられていることを特徴とする請求項１に記載の電動機の固定子。
【請求項３】
前記巻線の巻き終り部分を固定する際に、前記分割鉄心に設けられた溝に紐を通して固定することを特徴とする請求項１または２に記載の電動機の固定子。
【請求項４】
前記溝は、前記電動機の軸方向より見た前記分割鉄心の前後の両端部に隣接した部分に設けられていることを特徴とする請求項３に記載の電動機の固定子。
【請求項５】
前記溝は、前記電動機の軸方向より見た前記分割鉄心の前後の両端部に隣接した部分、および、前記両端部から中央方向に位置する箇所に複数設けられていることを特徴とする請求項４に記載の電動機の固定子。
【請求項６】
ヨーク部分で周方向に１ティース単位に分割して構成した分割鉄心より成る電動機において、前記分割鉄心はインシュレータを介して、巻線が巻回されており、前記巻線の巻き終り部分を固定する際に、前記インシュレータに設けられた切欠き部に紐を通して固定することを特徴とする電動機。
【請求項７】
前記切欠き部は、前記電動機の軸方向より見た前記分割鉄心の前後端面に隣接した部分に設けられていることを特徴とする請求項６に記載の電動機。
【請求項８】
前記巻線の巻き終り部分を固定する際に、前記分割鉄心に設けられた溝に紐を通して固定することを特徴とする請求項６または７に記載の電動機。
【請求項９】
前記溝は、前記電動機の軸方向より見た前記分割鉄心の前後の両端部に隣接した部分に設けられていることを特徴とする請求項８に記載の電動機。
【請求項１０】
前記溝は、前記電動機の軸方向より見た前記分割鉄心の前後の両端部に隣接した部分、および、前記両端部から中央方向に位置する箇所に複数設けられていることを特徴とする請求項９に記載の電動機。
【請求項１１】
ヨーク部分で周方向に１ティース単位に分割して構成した分割鉄心に、インシュレータを介して巻回された巻線を有する電動機の固定子巻線の固定方法において、前記インシュレータに設けられた切欠き部に紐を通して前記巻線を固定することを特徴とする電動機の固定子巻線の固定方法。
【請求項１２】
前記切欠き部は、前記電動機の軸方向より見た前記分割鉄心の前後端面に隣接した部分に設けられていることを特徴とする請求項１１に記載の電動機の固定子巻線の固定方法。
【請求項１３】
前記分割鉄心に設けられた溝に紐を通して前記巻線を固定することを特徴とする請求項１１または１２に記載の電動機の固定子巻線の固定方法。
【請求項１４】
前記溝は、前記電動機の軸方向より見た前記分割鉄心の前後の両端部に隣接した部分に設けられていることを特徴とする請求項１３に記載の電動機の固定子巻線の固定方法。
【請求項１５】
前記溝は、前記電動機の軸方向より見た前記分割鉄心の前後の両端部に隣接した部分、および、前記両端部から中央方向に位置する箇所に複数設けられていることを特徴とする請求項１４に記載の電動機の固定子巻線の固定方法。
【手続補正２】
【補正対象書類名】明細書
【補正対象項目名】０００４
【補正方法】変更
【補正の内容】
【０００４】
上記課題を解決するために、本発明は、次のように構成したものである。
請求項１に記載の発明は、ヨーク部分で周方向に１ティース単位に分割して構成した分割鉄心より成る電動機の固定子において、前記分割鉄心はインシュレータを介して、巻線が巻回されており、前記巻線の巻き終り部分を固定する際に、前記インシュレータに設けられた切欠き部に紐を通して固定するものである。
請求項２に記載の発明は、請求項１に記載の電動機の固定子において、前記切欠き部が、前記電動機の軸方向より見た前記分割鉄心の前後端面に隣接した部分に設けられているものである。
請求項３に記載の発明は、請求項１または２に記載の電動機の固定子において、前記巻線の巻き終り部分を固定する際に、前記分割鉄心に設けられた溝に紐を通して固定するものである。
請求項４に記載の発明は、請求項３に記載の電動機の固定子において、前記溝が、前記電動機の軸方向より見た前記分割鉄心の前後の両端部に隣接した部分に設けられているものである。
請求項５に記載の発明は、請求項３に記載の電動機の固定子において、前記溝が、前記電動機の軸方向より見た前記分割鉄心の前後の両端部に隣接した部分、および、前記両端部から中央方向に位置する箇所に複数設けられているものである。
【手続補正３】
【補正対象書類名】明細書
【補正対象項目名】０００５
【補正方法】変更
【補正の内容】
【０００５】
請求項６に記載の発明は、ヨーク部分で周方向に１ティース単位に分割して構成した分割鉄心より成る電動機において、前記分割鉄心はインシュレータを介して、巻線が巻回されており、前記巻線の巻き終り部分を固定する際に、前記インシュレータに設けられた切欠き部に紐を通して固定するものである。
請求項７に記載の発明は、請求項６に記載の電動機において、前記切欠き部が、前記電動機の軸方向より見た前記分割鉄心の前後端面に隣接した部分に設けられているものである。
請求項８に記載の発明は、請求項６または７に記載の電動機において、前記巻線の巻き終り部分を固定する際に、前記分割鉄心に設けられた溝に紐を通して固定するものである。
請求項９に記載の発明は、請求項８に記載の電動機において、前記溝が、前記電動機の軸方向より見た前記分割鉄心の前後の両端部に隣接した部分に設けられているものである。
請求項１０に記載の発明は、請求項８に記載の電動機において、前記溝が、前記電動機の軸方向より見た前記分割鉄心の前後の両端部に隣接した部分、および、前記両端部から中央方向に位置する箇所に複数設けられているものである。
【手続補正４】
【補正対象書類名】明細書
【補正対象項目名】０００６
【補正方法】変更
【補正の内容】
【０００６】
請求項１１に記載の発明は、ヨーク部分で周方向に１ティース単位に分割して構成した分割鉄心に、インシュレータを介して巻回された巻線を有する電動機の固定子巻線の固定方法において、前記インシュレータに設けられた切欠き部に紐を通して前記巻線を固定するものである。
請求項１２に記載の発明は、請求項１１に記載の電動機の固定子巻線の固定方法において、前記切欠き部が、前記電動機の軸方向より見た前記分割鉄心の前後端面に隣接した部分に設けられているものである。
請求項１３に記載の発明は、請求項１１または１２に記載の電動機の固定子巻線の固定方法において、前記分割鉄心に設けられた溝に紐を通して前記巻線を固定するものである。
請求項１４に記載の発明は、請求項１３に記載の電動機の固定子巻線の固定方法において、前記溝が、前記電動機の軸方向より見た前記分割鉄心の前後の両端部に隣接した部分に設けられているものである。
請求項１５に記載の発明は、請求項１３に記載の電動機の固定子巻線の固定方法において、前記溝が、前記電動機の軸方向より見た前記分割鉄心の前後の両端部に隣接した部分、および、前記両端部から中央方向に位置する箇所に複数設けられているものである。